(57)【要約】【課題】簡易かつ確実に装置間の認証を実現する。【解決手段】第１装置は、第２装置との間でデータを送受信する第１通信部と、所定データの書き込みを要求し、所定データの書き込み完了後に所定データの読み出しを要求し、書き込みを要求したデータと読み出されたデータが一致したときに第２装置の自装置への接続を許可する制御部を有し、第２装置は、第１装置との間でデータを送受信する第２通信部と、データを格納するメモリと、第１装置から送信された書き込み要求にしたがって受信したデータをメモリに格納し、第１装置から送信された読み出し要求にしたがってメモリに格納されているデータを読み出す入出力制御部と、を有する。【選択図】図１
2008097415.tif 000002
【特許請求の範囲】
【請求項１】
第１装置と、前記第１装置に応答可能な第２装置とを備え、
前記第１装置は、
前記第２装置との間でデータを送受信する第１通信部と、
前記第２装置に対して、所定データの書き込みを要求し、前記所定データの書き込み完了後に前記所定データの読み出しを要求し、前記書き込みを要求したデータと読み出しの要求によって読み出されたデータとが一致したときに前記第２装置の第１装置への接続を許可する制御部とを有し、
前記第２装置は、
前記第１装置との間でデータを送受信する第２通信部と、
データを格納するメモリと、
前記第１装置からの書き込みの要求にしたがって受信したデータを前記メモリに格納し、第１装置からの読み出しの要求にしたがって前記メモリに格納されているデータを読み出す入出力制御部と、を有する情報システム。
【請求項２】
前記メモリは、不揮発性メモリであり、
前記第２装置は、前記第１装置から電力供給を受ける電力受給部を有し、
前記第１装置は、前記第１装置に電力を供給する電力供給部を有し、
前記制御部は、前記所定データの書き込み完了後に所定の期間、前記電力供給部から前記第２装置への電力供給を停止させ、前記所定データの読み出し要求前に前記電力供給部から前記第２装置への電力供給を再開する請求項１に記載の情報システム。
【請求項３】
第１装置と、不揮発性メモリを有し前記第１装置に応答する第２装置とを備える情報システムが実行する認証方法であり、
前記第１装置は、
前記第２装置に対する電力供給を開始するステップと、
前記第２装置に対して所定データの書き込みを要求するステップと、
前記書き込み完了後に前記第２装置に対する電力供給を停止するステップと、
前記第２装置に対する電力供給を再開するステップと、
前記電力供給の再開後に前記第２装置に対して前記所定データの読み出しを要求するステップと、
前記書き込みを要求したデータと前記読み出しの要求によって読み出されたデータとが一致したときに前記第２装置の第１装置への接続を許可するステップとを実行し、
前記第２装置は、
前記第１装置から書き込みの要求とともにデータを受信するステップと、
前記受信したデータを前記不揮発性メモリに格納するステップと、
第１装置から読み出しの要求を受信するステップと、
前記読み出しの要求にしたがって前記不揮発性メモリに格納されているデータを読み出すステップと、
前記読み出したデータを前記第１装置に送信するステップと、を実行する認証方法。
【請求項４】
不揮発性メモリを有するとともに、自装置に応答する相手装置の自装置に対する接続の可否を判定する情報処理装置であり、
前記相手装置に電力を供給する電力供給部と、
前記相手装置との間でデータを送受信する第１通信部と、
前記相手装置に対して、所定データの書き込みを要求し、前記所定データの書き込み完了後に所定の期間、前記電力供給部から前記相手装置への電力供給を停止させた後、前記電力供給部から前記相手装置への電力供給を再開し、前記所定データの読み出しを要求し、前記書き込みが要求されたデータと読み出しの要求によって読み出されたデータとが一
致したときに前記相手装置の自装置への接続を許可する制御部とを有する、情報処理装置。
【請求項５】
第１装置に応答可能な装置であり、前記第１装置は、前記装置との間でデータを送受信する第１通信部と、前記装置に対して、所定データの書き込みを要求し、前記所定データの書き込み完了後に前記所定データの読み出しを要求し、前記書き込みを要求したデータと読み出しの要求によって読み出されたデータとが一致したときに前記装置の第１装置への接続を許可する制御部とを有しており、前記装置は、
前記第１装置との間でデータを送受信する第２通信部と、
データを格納するメモリと、
前記第１装置からの書き込みの要求にしたがって受信したデータを前記メモリに格納し、第１装置からの読み出しの要求にしたがって前記メモリに格納されているデータを読み出す入出力制御部と、を有する装置。
【発明の詳細な説明】
【技術分野】
【０００１】
本発明は、システムを構成する装置間の認証に関する。
【背景技術】
【０００２】
二つ以上の装置（以下、本体機と付属機と表現する）を接続して、目的の機能・性能を達成させるシステムがある。そのようなシステムでは、一方の装置を他方の装置に接続する際に接続される装置の認証を行うものがある。そのような装置の認証としては、暗号演算回路などを搭載した方式等、様々な方式が提案されている（例えば、下記特許文献１参照）。
【特許文献１】特開２００１−２０９５８０号公報
【発明の開示】
【発明が解決しようとする課題】
【０００３】
上記のような装置の認証によって、目的の機能・性能・品質を安全に達成することが確認できる。例えば、上述のような本体機と付属機からなるシステムの場合、本体機が相手装置の特性、素性を確認して、相手装置が正当な付属機であることを認証した後に目的を達成するための動作を開始することができる。これにより、システムの使用者が認証されたシステムによって安心してシステムの機能を利用することができる。
【０００４】
ところで、使用者、装置の安全および、品質を確保するためには、認証手法が複雑で、暗号の改ざんあるいは正当な付属機以外のなりすましが困難なものにする必要がある。しかし、例えば、暗号演算回路などを搭載した認証方式では、暗号演算の処理回路等が必要であり、認証手法が複雑なほど、その認証手法を実現する回路規模が増大する。また、暗号演算の処理時間が増大する。本発明の目的は、このような従来の問題を解決し、簡易かつ確実に装置間の認証を実現することにある。
【課題を解決するための手段】
【０００５】
本発明は前記課題を解決するために、以下の手段を採用した。すなわち、本発明は、第１装置と、前記第１装置に応答可能な第２装置とを備える情報システムである。第１装置は、前記第２装置との間でデータを送受信する第１通信部と、前記第２装置に対して、所定データの書き込みを要求し、前記所定データの書き込み完了後に前記所定データの読み出しを要求し、前記書き込みを要求したデータと読み出しの要求によって読み出されたデータとが一致したときに前記第２装置の第１装置への接続を許可する制御部とを有する。また、第２装置は、前記第１装置との間でデータを送受信する第２通信部と、データを格納するメモリと、前記第１装置からの書き込みの要求にしたがって受信したデータを前記メモリに格納し、第１装置からの読み出しの要求にしたがって前記メモリに格納されているデータを読み出す入出力制御部と、を有する。
【０００６】
本発明によれば、第１装置によって、書き込みを要求したデータと読み出されたデータが一致したときに、第２装置の第１装置に対する正当性を判定できる。したがって、その特性あるいは素性の正当性が確認された第２装置だけについて接続を許可することができる。
【０００７】
前記メモリは、不揮発性メモリであり、前記第２装置は、前記第１装置から電力供給を受ける電力受給部を有し、前記第１装置は、前記第１装置に電力を供給する電力供給部を有するようにしてもよい。そして、前記制御部は、前記所定データの書き込み完了後に所定の期間、前記電力供給部から前記第２装置への電力供給を停止させ、前記所定データの
読み出し要求前に前記電力供給部から前記第２装置への電力供給を再開するようにしてもよい。
【０００８】
本発明によれば、第１装置から電力供給されるべき装置であって、電力供給を停止した後も、その停止前に書き込まれたデータを維持している装置だけが正当な第２装置として認証される。
【０００９】
本発明は、以上の機能を実現する第１装置であってもよい。また、本発明は、コンピュータその他の装置、機械等が上記いずれかの処理を実行する方法であってもよい。また、本発明は、コンピュータその他の装置、機械等に、上記いずれかの処理を実行させるコンピュータ実行可能なプログラムであってもよい。また、本発明は、そのようなプログラムをコンピュータその他の装置、機械等が読み取り可能な記録媒体に記録したものでもよい。
【発明の効果】
【００１０】
本発明によれば、回路規模、演算時間を増大させることなく、簡易かつ確実に装置間の認証を実現できる。
【発明を実施するための最良の形態】
【００１１】
以下、図面を参照して本発明を実施するための最良の形態（以下、実施形態という）に係る情報システムについて説明する。以下の実施形態の構成は例示であり、本発明は実施形態の構成には限定されない。
【００１２】
図１は、本情報システムのシステム構成図である。この情報システムは、本体機１（本発明の第１装置および情報処理装置に相当）と、本体機１に接続されたときに所定の機能を提供する付属機２（本発明の第２装置に相当）とを含む。本体機１は、本体機側ＬＳＩ１１を有している。本体機側ＬＳＩ１１は、付属機２に電力を供給する電力供給部、付属機２にデータの書き込み要求を送信するデータ書き込み送信部、付属機２にデータの読み取り要求を送信するデータ読み取り送信部、付属機２から読み取るべきデータを受信するデータ受信部、および付属機２との間で授受したデータによって付属機２を認証する認証部を有している。
【００１３】
また、付属機２は、付属機側ＬＳＩ２１を有している。付属機側ＬＳＩ２１は、本体機１から電力が供給される電力受給部、本体機１からータの書き込み要求を受信するデータ書き込み受信部、データ書き込み要求するとともに受信したデータを格納する不揮発性メモリ、データ書き込み要求を受信したときにメモリにデータを書き込む書き込み制御部、本体機１からデータの読み取り要求を受信するデータ読み取り受信部、データの読み取り要求を受信したときにメモリからデータを読み出す読み出し制御部、読み出したデータを本体機１に返信するデータ返信部を有している。
【００１４】
このような本体機１と付属機２との間のインターフェースの種類に限定はない。例えば、接触型のインターフェースでもよい。そのようなインターフェースとして、接触型ＩＣカードインターフェース、ＵＳＢインターフェース等を例示できる。また、そのようなインターフェースとして、非接触型のインターフェースを用いてもよい。例えば、非接触型のＩＣカードインターフェース、ＲＦＩＤタグ規格の空中インターフェース等である。
【００１５】
また、電力供給部は、例えば、本体機１の電源端子に接続されるスイッチと上記付属機２とのインターフェースとによって構成できる。また、本体機側ＬＳＩ１１に含まれるデータ書き込み送信部、データ読み取り送信部、データ受信部、および認証部等の機能は、例えば、ＣＰＵ上のプログラムによってと上記付属機２とのインターフェースにアクセス
する機能として実現できる。これらは、例えば、個別のプログラムモジュールとして実現してもよいし、単一のプログラムの複数の処理ステップとして実現してもよい。ただし、プログラムによってこれらの機能を実現する場合には、本体機１には、ＣＰＵとメモリが備えられる。
【００１６】
また、データ書き込み送信部、データ読み取り送信部、データ受信部、および認証部のいずれか１以上は、ＣＰＵ上のプログラムとして実現する代わりに、本体機側ＬＳＩ１１のハードウェア、すなわち論理回路として実現してもよい。
【００１７】
これらのうち、データ書き込み送信部、データ読み取り送信部およびデータ受信部が本発明の第１通信部に相当する。また、認証部が本発明の制御部に相当する。
【００１８】
同様に、電力受給部は、上記本体機１とのインターフェースを構成し、付属機側ＬＳＩ２１に電力を供給する電源端子として構成できる。また、付属機側ＬＳＩ２１に含まれるデータ書き込み受信部、書き込み制御部、データ読み取り受信部、読み出し制御部、データ返信部等の機能は、ＣＰＵ上のプログラムによって上記付属機１とのインターフェースにアクセスする機能として実現できる。これらは、例えば、個別のプログラムモジュールとして実現してもよいし、単一のプログラムの複数の処理ステップとして実現してもよい。ただし、プログラムによってこれらの機能を実現する場合には、付属機２には、ＣＰＵとメモリが備えられる。
【００１９】
また、データ書き込み受信部、書き込み制御部、データ読み取り受信部、読み出し制御部、データ返信部のいずれか１以上は、ＣＰＵ上のプログラムとして実現する代わりに、付属機側ＬＳＩ２１のハードウェア、すなわち論理回路として実現してもよい。
【００２０】
これらのうち、データ書き込み受信部、データ読み取り受信部、およびデータ返信部が本発明の第２通信部に相当する。また、書き込み制御部、および読み出し制御部が本発明の入出力制御部に相当する。
【００２１】
本体機側ＬＳＩ１１は、上記インターフェースを通じて、付属機２に電力を供給するともに、データ書き込み要求を送信する。そして、データ書き込みが完了した後、本体機側ＬＳＩ１１は、付属機２に対する電力供給を所定時間停止する。そして、その後、本体機側ＬＳＩ１１は、付属機２に電力供給を再度開始するともに、データ読み取り要求を送信する。
【００２２】
一方、付属機側ＬＳＩ２１は、電力受給部から電力供給を受けて稼動する。そして、データデータ書き込み要求を受けると、受信したデータを不揮発性メモリに格納する。さらに、付属機側ＬＳＩ２１は、電力受給部からの電力供給が停止すると、処理を停止する。そして、再び、電力供給を受けて稼動し、データの読み取り要求を受信したときにメモリからデータを読み出す。読み出したデータは、データ返信部から本体機１に返信される。
【００２３】
本体機側ＬＳＩ１１の認証部は、返信されたデータと、データ書き込み要求の対象となったデータとを比較する。データ書き込み要求の対象となったデータは、例えば、本体機１のメモリに格納しておいてもよい。また、データそのものは、例えば、スイッチ等によって本体機側ＬＳＩ１１の外部から設定可能な半固定のデータであってもよい。そして、比較の結果、返信されたデータと、データ書き込み要求の対象となったデータとが一致した場合に、認証が成功したと判定する。認証が成功した場合に、本体機１は付属機２と連携し、所定の動作を開始する。一方、認証が成功しなかった場合には、その動作を開始せず、例えば、エラー表示等がなされる。
【００２４】
図２に、本情報システムでの本体機１と付属機２との間の信号授受のタイミングチャートを示す。この処理では、タイミングＴ１にて、本体機１から付属機２に対して電力供給が開始する。これによって付属機２が稼動する。
【００２５】
次に、タイミングＴ２において、本体機１から付属機２に対してデータ書き込み要求が送信される。このとき、書き込まれるべきデータも送信される。送信されたデータは、付属機２にて受信される。そして、付属機２は、受信されたデータを不揮発性メモリに格納する。
【００２６】
この場合、データ書き込み要求は、所定のアドレスまたはキーを含んでもよい。その場合は、不揮発性メモリにおいてそのアドレス位置あるいは、キーに対応するアドレス位置にデータが書き込まれる。また、所定のアドレスまたはキーが指定されない場合には、不揮発性メモリにおいて、固定のアドレスにデータを書き込めばよい。
【００２７】
次に、タイミングＴ３において、本体機１から付属機２に対してデータ読み取り要求が送信される。付属機２は、データ読み取り要求を受信すると、データを返信する。この場合、付属機２は、不揮発性メモリのデータ読み出して返信してもよい。また、揮発性のレジスタにデータを保持しておいて返信してもよい。この場合に返信されたデータは、本体機１にて、送受信の完了を判定するために使用することができる。
【００２８】
次に、タイミングＴ４において、本体機１は、電力供給を停止する。これにより、付属機２は動作を停止する。その後、所定時間経過後、タイミングＴ５において、本体機１から付属機２に対して電力供給が再開される。これにより、付属機２が再度稼動する。
【００２９】
次に、タイミングＴ６において、データ読み取り要求が送信される。付属機２は、データ読み取り要求を受信すると、不揮発性メモリからデータを読み出す。この場合、データ読み取り信号は、所定のアドレスまたはキーを指定してもよい。その場合は、不揮発性メモリにおいてそのアドレスあるいは、キーに対応するデータが読み出される。また、所定のアドレスまたはキーが指定されない場合には、不揮発性メモリにおいて、固定のアドレスからデータを読み出せばよい。そして、付属機２は、データを返信する。
【００３０】
このようにして、本体機１は、返信されたデータによって付属機２を認証することができる。すなわち、本体機１は、タイミングＴ２で書き込み要求の対象としたデータまたはタイミングＴ３の読み出し要求で読み出したデータと、タイミングＴ６の読み出し要求で読み出したデータとを比較し、付属機２を認証すればよい。
【００３１】
すなわち、本情報システムでは、本体機１との間で、電力供給インターフェース、データ送受信インターフェース、および不揮発性メモリを有し、図２のタイミングチャートにしたがって、データの受信と返信が可能な付属機２だけが認証される。
【００３２】
その場合、本体機１から付属機２に対する電力供給が停止するため、不揮発性メモリを有する付属機２だけが認証に成功することができる。
【００３３】
また、データの書き込み要求、データの読み取り要求に対応するインターフェースを本体機１と付属機２との間に備えるだけで、簡易に認証機能を実現できる。
【００３４】
＜不揮発性メモリ＞
不揮発性メモリとして、ＦｅＲＡＭ（強誘電体メモリ、Ferroelectric Random Access Memory）を用いた場合には、さらに、以下の効果を得ることができる。例えば、不揮発メモリとしてＥＥＰＲＯＭ（Electrically Erasable Programmable Read-Only Memory）や
フラッシュメモリを使用する場合には、データを書き込むのに数ｍｓの時間を要する。一方、不揮発メモリとして強誘電体素子を用いたＦｅＲＡＭ等を用いた場合、データを書き込むのに必要な時間は、数百ｎｓの時間で十分である。
【００３５】
上に示した認証手順において、付属機２がデータを不揮発メモリに書き込む間は、本体機１から電力を供給しておく必要がある。そこで、付属機２に対する電力供給を停止するまでの時間（すなわち、タイミングＴ１からＴ４の期間）をＦｅＲＡＭに書き込むのには十分な時間とし、ＥＥＰＲＯＭやフラッシュメモリに書き込むのには不十分な時間に設定してもよい。そして、書き込みが成功しているかどうかは、タイミングＴ３の読み出し要求で読み出したデータで判断すればよい。以上の手順により、不揮発メモリとして短時間での書き込みが可能なＦｅＲＡＭを搭載している付属機２か、そうでない付属機２かの区別が可能となり、付属機２の認証を実現することができる。
【００３６】
＜適用例＞
本実施形態の情報システムの認証機能は、様々な対象に適用できる。例えば、プリンタを本体機１とし、そのインクカートリッジを付属機２とする情報システムである。本実施形態の認証機能を備えることによって、互換性のないインクカートリッジ、あるいは、使用すべきでないインクカートリッジが誤ってプリンタに装着され、使用されることを防止できる。
【００３７】
また、例えば、ゲーム機を本体機１とし、ゲームソフトウェアを格納したゲームカートリッジを付属機２とする情報システムにも本認証機能を適用できる。この場合も、互換性のないゲームカートリッジ、あるいは、使用されるべきでないゲームカートリッジが誤って使用されることを防止できる。
【００３８】
＜コンピュータ読み取り可能な記録媒体＞
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００３９】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。
【００４０】
また、コンピュータ等に固定された記録媒体としてハードディスクやＲＯＭ（リードオンリーメモリ）等がある。この場合、コンピュータは、機能を提供する装置、例えば、本実施形態の本体機１に内蔵されたものでもよい。上記プログラムをこれらの記録媒体にネットワークを通じてダウンロードしてもよい。
【００４１】
＜その他＞
本実施形態は、以下の態様（以下、付記という）を含む。
（付記１）
第１装置と、前記第１装置に応答可能な第２装置とを備え、
前記第１装置は、
前記第２装置との間でデータを送受信する第１通信部と、
前記第２装置に対して、所定データの書き込みを要求し、前記所定データの書き込み完了後に前記所定データの読み出しを要求し、前記書き込みを要求したデータと読み出し
の要求によって読み出されたデータとが一致したときに前記第２装置の第１装置への接続を許可する制御部とを有し、
前記第２装置は、
前記第１装置との間でデータを送受信する第２通信部と、
データを格納するメモリと、
前記第１装置からの書き込みの要求にしたがって受信したデータを前記メモリに格納し、第１装置からの読み出しの要求にしたがって前記メモリに格納されているデータを読み出す入出力制御部と、を有する情報システム。（１）
（付記２）
前記メモリは、不揮発性メモリであり、
前記第２装置は、前記第１装置から電力供給を受ける電力受給部を有し、
前記第１装置は、前記第１装置に電力を供給する電力供給部を有し、
前記制御部は、前記所定データの書き込み完了後に所定の期間、前記電力供給部から前記第２装置への電力供給を停止させ、前記所定データの読み出し要求前に前記電力供給部から前記第２装置への電力供給を再開する付記１に記載の情報システム。（２）
（付記３）
第１装置と、不揮発性メモリを有し前記第１装置に応答する第２装置とを備える情報システムが実行する認証方法であり、
前記第１装置は、
前記第２装置に対する電力供給を開始するステップと、
前記第２装置に対して所定データの書き込みを要求するステップと、
前記書き込み完了後に前記第２装置に対する電力供給を停止するステップと、
前記第２装置に対する電力供給を再開するステップと、
前記電力供給の再開後に前記第２装置に対して前記所定データの読み出しを要求するステップと、
前記書き込みを要求したデータと前記読み出しの要求によって読み出されたデータとが一致したときに前記第２装置の第１装置への接続を許可するステップとを実行し、
前記第２装置は、
前記第１装置から書き込みの要求とともにデータを受信するステップと、
前記受信したデータを前記不揮発性メモリに格納するステップと、
第１装置から読み出しの要求を受信するステップと、
前記読み出しの要求にしたがって前記不揮発性メモリに格納されているデータを読み出すステップと、
前記読み出したデータを前記第１装置に送信するステップと、を実行する認証方法。（３）
（付記４）
不揮発性メモリを有するとともに、自装置に応答する相手装置の自装置に対する接続の可否を判定する情報処理装置であり、
前記相手装置に電力を供給する電力供給部と、
前記相手装置との間でデータを送受信する第１通信部と、
前記相手装置に対して、所定データの書き込みを要求し、前記所定データの書き込み完了後に所定の期間、前記電力供給部から前記相手装置への電力供給を停止させた後、前記電力供給部から前記相手装置への電力供給を再開し、前記所定データの読み出しを要求し、前記書き込みが要求されたデータと読み出しの要求によって読み出されたデータとが一致したときに前記相手装置の自装置への接続を許可する制御部とを有する、情報処理装置。（４）
（付記５）
メモリを有するとともに、自装置に応答する相手装置の自装置に対する接続の可否を自装置のコンピュータに判定させるプログラムであり、
前記相手装置に対する電力供給を開始するステップと、
前記相手装置に対して所定データの書き込みを要求するステップと、
前記書き込み完了後に前記相手装置に対する電力供給を停止するステップと、
前記相手装置に対する電力供給を再開するステップと、
前記電力供給の再開後に前記所定データの読み出しを要求するステップと、
前記書き込みが要求されたデータと読み出しの要求によって読み出されたデータとが一致したときに前記相手装置の自装置への接続を許可するステップとを実行させるプログラム。
（付記６）
第１装置に応答可能な装置であり、前記第１装置は、前記装置との間でデータを送受信する第１通信部と、前記装置に対して、所定データの書き込みを要求し、前記所定データの書き込み完了後に前記所定データの読み出しを要求し、前記書き込みを要求したデータと読み出しの要求によって読み出されたデータとが一致したときに前記装置の第１装置への接続を許可する制御部とを有しており、前記装置は、
前記第１装置との間でデータを送受信する第２通信部と、
データを格納するメモリと、
前記第１装置からの書き込みの要求にしたがって受信したデータを前記メモリに格納し、第１装置からの読み出しの要求にしたがって前記メモリに格納されているデータを読み出す入出力制御部と、を有する装置。（５）
（付記７）
前記第１装置はプリンタであり、前記第２装置はインクカートリッジである付記１または２に記載の情報システム。
（付記８）
不揮発性メモリを有するとともに、自装置に応答するインクカートリッジの自装置に対する接続の可否を判定するプリンタであり、
前記インクカートリッジに電力を供給する電力供給部と、
前記インクカートリッジとの間でデータを送受信する第１通信部と、
前記インクカートリッジに対して、所定データの書き込みを要求し、前記所定データの書き込み完了後に所定の期間、前記電力供給部から前記インクカートリッジへの電力供給を停止させた後、前記電力供給部から前記インクカートリッジへの電力供給を再開し、前記所定データの読み出しを要求し、前記書き込みが要求されたデータと読み出しの要求によって読み出されたデータとが一致したときに前記インクカートリッジの自装置への接続を許可する制御部とを有する、プリンタ。
（付記９）
前記第１装置はゲーム機であり、前記第２装置はゲームカートリッジである付記１または２に記載の情報システム。
（付記１０）
不揮発性メモリを有するとともに、自装置に応答するゲームカートリッジの自装置に対する接続の可否を判定するゲーム機であり、
前記ゲームカートリッジに電力を供給する電力供給部と、
前記ゲームカートリッジとの間でデータを送受信する第１通信部と、
前記ゲームカートリッジに対して、所定データの書き込みを要求し、前記所定データの書き込み完了後に所定の期間、前記電力供給部から前記ゲームカートリッジへの電力供給を停止させた後、前記電力供給部から前記ゲームカートリッジへの電力供給を再開し、前記所定データの読み出しを要求し、前記書き込みが要求されたデータと読み出しの要求によって読み出されたデータとが一致したときに前記ゲームカートリッジの自装置への接続を許可する制御部とを有する、ゲーム機。
【図面の簡単な説明】
【００４２】
【図１】本発明の実施形態に係る情報システムのシステム構成図である。
【図２】情報システムの信号授受を示すタイミングチャートである。
【符号の説明】
【００４３】
１  本体機
２  付属機
１１  本体機側ＬＳＩ
２１  付属機側ＬＳＩ
【図１】
2008097415.tif 000003
【図２】
2008097415.tif 000004